(57)【要約】【課題】内容液が無色透明や淡黄色透明等の淡い色のものである場合でも、内容液の液位を視認し易くして、内容液を正確に計量することのできる計量キャップ付き容器を提供する。【解決手段】計量キャップ１２は、容器本体１１の口首部１１ｂに係合される装着筒部１３と、装着筒部１３よりも上方に延設する部分を備えると共に、少なくとも計量線１４が描かれている上部が内部を視認可能な透明又は半透明の樹脂からなる、計量室１２ａを有する有底の計量筒部１４とを備えている。計量筒部１４の底部１４ｃに、容器本体１１に収容された内容液を計量室１２ａに流入させる流出口部１２ｃが設けられており、計量筒部１４の底部１４ｃは、マンセル表色系における明度が７以下の色に着色されている。【選択図】図２
2020158161.tif 000002
【特許請求の範囲】
【請求項１】
押圧変形可能な胴部を備える容器本体と、該容器本体の口首部に装着される計量キャップとを含んで構成され、前記胴部を押圧することにより前記容器本体に収容された内容液を前記計量キャップに送り出して、計量された内容液を注出口部から注出可能な計量キャップ付き容器であって、
前記計量キャップは、前記容器本体の口首部に係合される装着筒部と、該装着筒部よりも上方に延設する部分を備えると共に、少なくとも計量線が描かれている上部が内部を視認可能な透明又は半透明の樹脂からなる、計量室を有する有底の計量筒部とを備えており、
該計量筒部の底部に、前記容器本体に収容された内容液を前記計量室に流入させる流出口部が設けられており、前記計量筒部の底部は、マンセル表色系における明度が７以下の色に着色されている計量キャップ付き容器。
【請求項２】
前記計量筒部の底部から立設して、流出ノズル筒部が設けられており、該流出ノズル筒部の先端に先端流出口が開口しており、該先端流出口は前記流出口部と連通し、前記容器本体に収容された内容液を前記計量室に流入させる請求項１記載の計量キャップ付き容器。
【請求項３】
前記流出ノズル筒部は、マンセル表色系における明度が７以下の色に着色されていない、着色された底部とは別パーツの部品として形成されている請求項２記載の計量キャップ付き容器。
【請求項４】
前記計量筒部の先端部周縁部分に回転可能にヒンジ連結されて、透明又は半透明の樹脂からなる開閉蓋が設けられている請求項１又は２記載の計量キャップ付き容器。
【請求項５】
前記開閉蓋の内側面から突出して、前記注出口部又は前記流出口部を閉塞するシール筒体が設けられている請求項１〜４のいずれか１項記載の計量キャップ付き容器。
【請求項６】
前記容器本体に、無色透明又は淡黄色透明の内容液が収容されている請求項１〜５のいずれか１項記載の計量キャップ付き容器。
【発明の詳細な説明】
【技術分野】
【０００１】
本発明は、計量キャップ付き容器に関し、特に、胴部を押圧することにより容器本体に収容された内容液を計量キャップに送り出して、計量された内容液を注出可能な計量キャップ付き容器に関する。
【背景技術】
【０００２】
例えば液体調味料や液体化粧料等の内容液を、容器本体から計量室に送り込んで、計量された所定量の内容液を注出できるようにする容器として、押圧変形可能な胴部を備える容器本体と、容器本体の口首部に一体として装着される計量キャップとからなり、胴部を押圧することにより容器本体に収容された内容液を計量キャップに送り込んで、計量された内容液を注出口部から注出可能にする計量キャップ付き容器が知られている（例えば、特許文献１参照）。
【０００３】
特許文献１の計量キャップ付き容器では、内容液を収容した容器本体の胴部を指等で押圧することにより弾性変形させて、内容液を押し上げ、押し上げた内容液を吐出ノズルの周囲の計量室に流入させ、流入させた内容液の量が必要量に達したことを、透明又は半透明な計量室の周壁部を介して目視により確認した後に、容器を傾けて、所定量の内容液を注出できるようになっている。
【先行技術文献】
【特許文献】
【０００４】
【特許文献１】実開平６−１４０５４号公報
【特許文献２】実開昭６３−１１７７０６号公報
【発明の概要】
【発明が解決しようとする課題】
【０００５】
しかしながら、特許文献１の計量キャップ付き容器では、特に内容液が無色透明や淡黄色透明等の淡い色のものであると、透明又は半透明な計量室の周壁部を介して、内容液の液位を目視により確認することが難くなって、内容液を正確に計量できなくなる。
【０００６】
一方、側面がほぼ透明なガラス製の器本体の底面を着色することによって、透明な液体中を透過した底面の色が、器本体の側面で反射し、再び透明な液体中を透過して液の表面や側面に達することで、底面の色が写し出されると共に、器本体の側面にも現れることが知られている（例えば、特許文献２参照）。
【０００７】
本発明は、このような現象を利用することにより、特に内容液が無色透明や淡黄色透明等の淡い色のものである場合でも、内容液の液位を計量室の周壁部を介して目視により確認し易くして、内容液をより正確に計量することのできる計量キャップ付き容器を提供することを目的とする。
【課題を解決するための手段】
【０００８】
本発明は、押圧変形可能な胴部を備える容器本体と、該容器本体の口首部に装着される計量キャップとを含んで構成され、前記胴部を押圧することにより前記容器本体に収容された内容液を前記計量キャップに送り出して、計量された内容液を注出口部から注出可能な計量キャップ付き容器であって、前記計量キャップは、前記容器本体の口首部に係合される装着筒部と、該装着筒部よりも上方に延設する部分を備えると共に、少なくとも計量線が描かれている上部が内部を視認可能な透明又は半透明の樹脂からなる、計量室を有する有底の計量筒部とを備えており、該計量筒部の底部に、前記容器本体に収容された内容液を前記計量室に流入させる流出口部が設けられており、前記計量筒部の底部は、マンセル表色系における明度が７以下の色に着色されている計量キャップ付き容器を提供することにより、上記目的を達成したものである。
【発明の効果】
【０００９】
本発明の計量キャップ付き容器によれば、特に内容液が無色透明や淡黄色透明等の淡い色のものである場合でも、内容液の液位を計量室の周壁部を介して目視により確認し易くして、内容液をより正確に計量することができる。
【図面の簡単な説明】
【００１０】
【図１】（ａ）は、本発明の好ましい一実施形態に係る計量キャップ付き容器の側面図、（ｂ）は、要部を断面で示す側面図である。
【図２】本発明の好ましい一実施形態に係る計量キャップ付き容器の要部拡大断面図である。
【発明を実施するための形態】
【００１１】
以下、図面を参照しつつ、本発明を具体的に説明する。図１（ａ）、（ｂ）に示す本発明の好ましい一実施形態に係る計量キャップ付き容器１０は、容器本体１１に内容液として例えば食用油、調味料、洗剤、化粧料、濃縮タイプの清涼飲料水等を収容し、収容した内容液を所定量ずつ計量して注出できるようにする容器として用いられる。計量キャップ付き容器１０の容器本体１１は、手や指の力で容易に弾性変形可能な胴部１１ａを備えており、容器本体１１を把持して胴部１１ａを押圧することにより、内部に収容された内容液を押し上げて、計量キャップ１２の計量室１２ａに流入させると共に、計量室１２ａに流入した内容液の液位を、計量キャップ１２の外側から目視によって確認できるようになっている。本実施形態の計量キャップ付き容器１０は、特に容器本体１１に収容されている内容液が無色透明又は淡黄色透明等の淡い色のものである場合でも、内容液の液位を計量キャップ１２の外側から目視により確認し易くして、内容液をより正確に計量できるようにする機能を備える。
【００１２】
そして、本実施形態の計量キャップ付き容器１０は、押圧変形可能な胴部１１ａを備える容器本体１１と、容器本体１１の口首部１１ｂに装着される計量キャップ１２とを含んで構成され、胴部１１ａを押圧することにより容器本体１１に収容された内容液を計量キャップ１２に送り出して、計量された内容液を注出口部１２ｂから注出可能な容器である。計量キャップ１２は、図２にも示すように、容器本体１１の口首部１１ｂに係合される装着筒部１３と、装着筒部１３よりも上方に延設する部分を備えると共に、少なくとも計量線１４が描かれている上部が内部を視認可能な透明又は半透明の樹脂からなる、計量室１２ａを有する有底の計量筒部１４とを備えている。計量筒部１４の底部１４ｃに、容器本体１１に収容された内容液を計量室１２ａに流入させる流出口部１２ｃが設けられており、計量筒部１４の底部１４ｃは、マンセル表色系における明度が７以下の色に着色されている。すなわち、計量筒部１４の底部１４ｃは、マンセル表色系における明度が７以下の色として、好ましくは赤色、朱色、青色、緑色、黒色、茶色、紺色、紫色、灰色の何れかの色、又はこれらの２以上が混合された色に着色されている。
【００１３】
また、本実施形態では、図２にも示すように、計量筒部１４の底部１４ｃから立設して、流出ノズル筒部１５が設けられており、流出ノズル筒部１５の先端に先端流出口１５ａが開口しており、この先端流出口１５ａは流出口部１２ｃと連通し、容器本体１１に収容された内容液を計量室１２ａに流入させるようになっている。
【００１４】
さらに、本実施形態では、計量筒部１４の先端部周縁部分にヒンジ部１４ｄを介して回転可能にヒンジ連結されて、透明又は半透明の樹脂からなる開閉蓋１６が設けられている。
【００１５】
さらにまた、本実施形態では、好ましくは流出ノズル筒部１５は、図２に示すように、例えば２色成形によって、マンセル表色系における明度が７以下の色に着色されていないように形成されている。流出ノズル筒部１５は、２色成形の他、着色された底部１４ｃとは別パーツの部品として形成し、例えば嵌め込み形式で計量筒部１４の底部に一体として取り付けることで、マンセル表色系における明度が７以下の色に着色されていないようにすることもできる。
【００１６】
本実施形態では、容器本体１１は、例えばポリエチレン、ポリプロピレン等のポリオレフィンやポリエチレンテレフタレート等のポリエステル等を用いたブロー成形品となっている。容器本体１１は、図１（ａ）、（ｂ）に示すように、好ましくは円形状の底部１１ｃと、底部１１ｃから上方に立設する円筒形状の胴部１１ａと、胴部１１ａの上端部に連続する、上方に向かって徐々に縮径する肩部１１ｄと、肩部１１ｄから上方に立設する口首部１１ｂとを含んで形成されている。ここで、「上方」は、底部１１ｃから口首部１１ｂに向かう方向であり、その逆方向が「下方」である。口首部１１ｂの外周面には、周方向に連続する係合凸リブ１１ｄが設けられている（図２参照）。この係合凸リブ１１ｄと、計量キャップ１４の装着筒部１３の下端部内周面に周方向に連続して形成された係合凹溝１３ａとを嵌め込むようにして係合させることにより、計量キャップ１２が、容器本体１１の口首部１１ｂに一体として取り付けられる。
【００１７】
本実施形態では、計量キャップ１４は、例えばポリエチレン、ポリプロピレン等のポリオレフィンやポリエチレンテレフタレート等のポリエステル等を用いた射出成形品となっており、複数の部材を組み付けることによって形成されている。すなわち、計量キャップ１４は、図２に示すように、下部筒状部材１８と、上部筒状部材１９と、底部形成部材２０とを含んで構成される。
【００１８】
下部筒状部材１８は、計量キャップ１２の装着筒部１３、及び計量筒部１４における本体容器１１側に位置する部分である下部を形成する部材であって、容器本体１１の口首部１１ｂの外径と同様の内径を備える円筒部１８ａと、円筒部１８ａの内部空間を上下に仕切る中栓部１８ｂとを備えている。円筒部１８ａの中栓部１８ｂよりも下方の部分が装着筒部１３を形成するようになっており、中栓部１８ｂよりも上方の部分が計量筒部１４の下部を形成するようになっている。中栓部１８ｂの中央部分には、流出開口１８ｃが開口形成されており、流出開口１８ｃの周囲を囲むようにして、中栓部１８ｂの下面側に、汲上げチユーブ（図示せず）の上端部が装着される装着スリーブ１８ｄが突出して設けられている。また中栓部１８ｂの下面側には、装着スリーブ１８ｄの外側に同心状に配置されて、インナーリング１８ｅが突出して設けられている。容器本体１１の口首部１１ｂに計量キャップ１４が一体として取り付けられた際に、口首部１１ｂの上端部内周面にインナーリング１８ｅが密着することで、強固な止水性を保持できるようになっている。中栓部１８ｂの上面側には、逆止弁２１ａが設けられた弁部材２１が、後述する底部形成部材２０との間に挟み込まれるようにして取り付けられている。
【００１９】
上部筒状部材１９は、計量キャップ１２の計量筒部１４の計量線１４が描かれている上部１４ａ及び注出口部１２ｂを形成する部材であって、中空の内部を外側から視認可能なように、透明又は半透明の樹脂を用いて形成されている。上部筒状部材１９には、先端部周縁部分に設けられたヒンジ部１４ｄを介して、開閉蓋１６が回転可能にヒンジ連結されて設けられている。上部筒状部材１９と開閉蓋１６とは、開閉蓋１６を開いた状態（図１（ｂ）参照）で一体成形されるようになっており、開閉蓋１６もまた、透明又は半透明の樹脂を用いて形成されている。上部筒状部材１９と開閉蓋１６とは、別体として形成して、ヒンジ部で連結するようにしても良い。上部筒状部材１９は、下端部分を下部筒状部材１８の上端部内側に嵌め込むようにして装着することにより、下部筒状部材１８に一体として取り付けられる。
【００２０】
透明又は半透明の上部筒状部材１９における、計量筒部１４の下部を形成する下部筒状部材１８よりも上方の部分には、この下部筒状部材１８よりも上方の部分を計量筒部１４の上部１４ａとして、好ましくはヒンジ部１４ｄと径方向に対向する領域の外周面に、例えば黒色の線分による計量線１４ｂ（図１（ａ）参照）が、周方向に延設して所定の高さ位置に描かれている。上部筒状部材１９における、計量筒部１４の計量線１４ｂが描かれている上部１４ａを形成する部分の上端部には、当接段部１９ａが、周方向に連続して形成されている。この当接段部１９ａには、計量キャップ１２を開閉蓋１６によって閉塞する際に、開閉蓋１６の周壁部１６ｂの下端部が当接する。この当接段部１９ａの内側部分から上方に突出して、シールリング１９ｂが設けられている。このシールリング１９ｂには、計量キャップ１２を開閉蓋１６によって閉塞する際に、開閉蓋１６の周壁部１６ｂの下端部内側面が密着した状態で係止されることで、計量キャップ１２の内側を封止できるようになっている。シールリング１９ｂの基端部の内側部分から上方に連続して、注出口部１２ｂが延設されている。
【００２１】
注出口部１２ｂは、当接段部１９ａとシールリング１９ｂとの接合角部分から、中空の円錐台形状となるように上方に突出して設けられており、上端面が注出口として開口している。注出口部１２ｂの上端部分の開口周縁部は、ラッパ形状となるように外側に湾曲している。これによって、計量室１２ａで計量された内容液を注出口部１２ｂを介して注出する際の、液切れ性を良好にしている。
【００２２】
なお、本実施形態では、計量筒部１４における上部筒状部材１９による上部１４ａのみが、内部を視認可能な透明又は半透明の樹脂からなっているが、少なくとも計量線１４ｂが描かれている上部１４ａが内部を視認可能な透明又は半透明の樹脂からなっていれば良く、例えば計量筒部１４の全体を、内部を視認可能な透明又は半透明の樹脂によって形成することもできる。
【００２３】
上部筒状部材１９と好ましくは一体成形される開閉蓋１６は、計量筒部１４の外径と同様の外径を有する円形状の天板部１６ａと、天板部１６ａの周縁部から下方に連続して設けられた周壁部１６ｂとを備えている。周壁部１６ｂの下端部の、ヒンジ部１４ｄが設けられた部分と径方向に対向する部分には、指掛けリブ１６ｃが、外側に張り出して設けられている。指掛けリブ１６ｃに指を係止することで、開閉蓋１６の開閉をよりスムーズに行えるようになっている。また、天板部１６ａの内側面から突出して、内側シール筒体１６ｄと、外側シール筒体１６ｅとが、同心状に配置されて設けられている。内側シール筒体１６ｄは、計量キャップ１２を開閉蓋１６によって閉塞する際に、後述する底部形成部材２０による流出ノズル筒部１５の外周面に先端部分が密着することによって、流出口部１２ｃと連通する流出ノズル筒部１５の先端流出口１５ａを封止する。外側シール筒体１６ｅは、計量キャップ１２を開閉蓋１６によって閉塞する際に、上部筒状部材１９による注出口部１２ｂの上端部分の開口周縁部の内側面に先端部分が密着することによって、注出口部１２ｂの上端面の注出口を封止する。すなわち、本実施形態では、開閉蓋１６の内側面から突出して、注出口部１２ｂ及び流出口部１２ｃをそれぞれ閉塞するシール筒体１６ｄ，１６ｅが設けられている。
【００２４】
底部形成部材２０は、計量キャップ１２における、計量室１２ａの底部となる計量筒部１４の底部１４ｃを形成する部材であって、計量線１４ｂが描かれている透明又は半透明の計量筒部１４の上部１４ａを介して外側から視認し易いように、底部１４ｃが、マンセル表色系における明度が７以下の色として、好ましくは赤色、朱色、青色、緑色、黒色、茶色、紺色、紫色、灰色の何れかの色、又はこれらの２以上が混合された色に着色された樹脂を用いて形成されている。底部形成部材２０は、計量筒部１４の内径と略同様の外径を有する円環形状の底盤部２０ａと、底盤部２０ａの外周縁部から上方に立設して設けられた密着周壁部２０ｂと、底盤部２０ａの内周縁部から上方に立設して設けられた流出ノズル筒部１５とを備えている。流出ノズル筒部１５は、上述のように、好ましくはマンセル表色系における明度が７以下の色に着色されていない、例えば２色成形による部分や、着色された底部１４ｃとは別パーツの部品として形成されており、計量筒部１４の底部１４ｃから、一体として立設している。従って、本実施形態では、底部形成部材２０を構成する底盤部２０ａ及び密着周壁部２０ｂによる、底部１４ｃのみが着色されている。円環形状の底盤部２０ａの中央部分の開口部は、計量筒部１４の底部１４ｃに設けられた、容器本体１１に収容された内容液を計量室１２ａに流入させる流出口部１２ｃとなっている。
【００２５】
ここで、マンセル表色系における明度は、色見本との比較によって測定されるものである。本実施形態では、着色された底部形成部材２０を色見本と比較して、マンセル表色系における明度を測定している。より具体的には、好ましくは日本色研事業株式会社発行の、マンセルシステム色彩の定規拡充版を用いて、視覚的に等間隔な数値スケールであるマンセル記号から、どのような色相、明度、彩度なのかを色の表示を介して視感で判断する。色相はニュートラル軸を中心に異なる角度で表され、明度段階は、無彩色のみ１８段階、彩度は９段階で判定する。明度は数値が大きいほど明るく、彩度は０が無彩色で、数値が大きいほど鮮やかになる。マンセル表色系における明度は、日常生活や就労などの場で不自由を強いられない視覚健常者によって目視測定することができる。
【００２６】
流出ノズル筒部１５は、底盤部２０ａの内周縁部である流出口部１２ｃの開口周縁部から上方に立設する円筒形状の部分であって、密着周壁部２０ｂの高さを越えて、注出口部１２ｂの内側に至る高さとなるように設けられている。流出ノズル筒部１５の先端部分には、流出口部１２ｃと連通する先端流出口１５ａが開口している。本実施形態では、例えば流出ノズル筒部１５の上端部から上方に立設する、径方向に対向する一対の支持脚部１５ｂに支持させて、先端流出口１５ａの直上部分に、流出規制板１５ｃが設けられている。容器本体１１に収容された内容液を計量室１２ａに流入させる際に、流出ノズル筒部１５を介して流出する内容液が、上方に勢い良く押し出されるのを流出規制板１５ｃにより規制して、内容液の流れを側方に誘導することにより、内容液を安定した状態で計量室１２ａに流入させることが可能になる。本実施形態では、流出ノズル筒部１５は、好ましくは明度が７以下の色に着色されていない、着色された底部１４ｃとは別パーツの部品として形成されているが、着色された底部１４ｃと一体として、明度が７以下の色に着色した状態で設けられていても良い。
【００２７】
底部形成部材２０は、例えばポリエチレン、ポリプロピレン等のポリオレフィン樹脂からなる成形品であって、下部筒状部材１８の中栓部１８ｂの上に、当該中栓部１８ｂとの間に弁部材２１を挟み込んだ状態で載置されて、下部筒状部材１８における、計量筒部１４の下部を形成する部分の内側に装着される。また、装着された底部形成部材２０の密着周壁部２０ｂと、下部筒状部材１８の上端部分の内側面との間の隙間に、上部筒状部材１９の下端部分を嵌め込むようにして装着することにより、上部筒状部材１９の下端部分に底部形成部材２０の密着周壁部２０ｂを密着させた状態で、下部筒状部材１８と、上部筒状部材１９と、底部形成部材２０とが一体となった計量キャップ１２が形成される。またこれによって、計量キャップ１２の計量筒部１４には、底部形成部材２０による底部１４ｃと、上部筒状部材１９によって周囲を囲まれる、計量室１２ａが形成されることになる。
【００２８】
下部筒状部材１８の中栓部１８ｂと底部形成部材２０との間に挟み込まれる弁部材２１は、例えばポリエチレン、ポリプロピレン等のポリオレフィン樹脂や、ニトリルゴム、シリコーンゴム、エチレンプロピレンゴムウレタンゴム等のゴム系樹脂等からなる成形品であって、円筒状の支持スリーブ２１ｂと、支持スリーブ２１ｂに支持されて、これの内側の上下方向中間部分に設けられた逆止弁２１ａとを含んで形成されている。弁部材２１は、中栓部１８ｂと底部形成部材２０との間に支持スリーブ２１ｂを挟み込ませ、逆止弁２１ａを、下部筒状部材１８の中栓部１８ｂの中央部分に形成された流出開口１８ｃを開閉可能に覆って配置した状態で、計量キャップ１２に取り付けられる。逆止弁２１ａは、容器本体１１の胴部１１ａを押圧して内容液を計量室１２ａに流入させる際に、容器本体１１から、流出開口１８ｃ、流出口部１２ｃ、及び流出ノズル筒部１５の先端流出口１５ａを介して計量室１２ａに向かう内容液の流れを許容すると共に、胴部１１ａを押圧する操作を開放した際に、流出ノズル筒部１５から容器本体１１に向かう内容液の流れを阻止する機能を備えている。
【００２９】
上述の構成を備える本実施形態の計量キャップ付き容器１０では、容器本体１１の胴部１１ａを把持して、好ましくは垂直に立てると共に、開閉蓋１６を開放した状態で、胴部１１ａを押圧することにより、容器本体１１に収容された内容液を押し上げて、流出開口１８ｃ、流出口部１２ｃ、及び流出ノズル筒部１５の先端流出口１５ａを介して計量室１２ａに流入させる。計量室１２ａに流入した内容液の上面の液位を、計量筒部１４の計量線１４ｂが描かれている透明又は半透明の上部１４ａや注出口部１２ｂの外側から視認して、内容液の液位が計量線１４ｂの位置に達したら、胴部１１ａを押圧する操作を終了し、計量された所定量の内容液を、注出口部１２ｂを介して所望の注出箇所に注出することができる。
【００３０】
そして、本実施形態の計量キャップ付き容器１０によれば、特に内容液が無色透明や淡黄色透明等の淡い色のものである場合でも、内容液の液位を、計量室１２ａの周壁部を形成する計量筒部１４の、計量線１４ｂが描かれている透明又は半透明の上部１４ａや注出口部１２ｂを介して目視により確認し易くして、内容液をより正確に計量することが可能になる。
【００３１】
すなわち、本実施形態によれば、計量室１２ａを形成する計量筒部１４の透明又は半透明の上部１４ａに計量線１４ｂが描かれており、計量筒部１４の底部１４ｃに、容器本体１１に収容された内容液を計量室１２ａに流入させる流出口部１２ｃが設けられており、計量筒部１４の底部１４ｃは、マンセル表色系における明度が７以下の色として、好ましくは赤色、朱色、青色、緑色、黒色、茶色、紺色、紫色、灰色の何れかの色、又はこれらの２以上が混合された色に着色されているので、実開昭６３−１１７７０６号公報に記載の器本体と同様の、気液界面の色差若しくは濃淡差による視認性の向上といった作用によって、計量筒部１４の外側から、計量室１２ａに流入した内容液の液位を視認し易くなり、これによって所定量の内容液をより正確に計量することが可能になる。このような観点から、計量筒部１４の底部１４ｃは、マンセル表色系における明度が５以下の色で着色されていることがより好ましい。
【００３２】
なお、本発明は上記の実施形態に限定されることなく種々の変更が可能である。例えば、計量筒部の底部から立設して、流出ノズル筒部が設けられている必要は必ずしも無く、内容液は、計量筒部の底部に形成された流出口部から、計量室に直接流入させることもできる。
また、上記の実施形態では、開閉蓋１６の内側面から突出して、注出口部１２ｂ及び流出口部１２ｃをそれぞれ閉塞するシール筒体１６ｄ，１６ｅが設けられていたが、どちらか一方が、注出口部１２ｂ又は流出口部１２ｃを閉塞するように設けられていてもよい。
また、計量筒部の底部は、計量筒部の下部を形成する下部筒状部材の中栓部の上に、着色された底部形成部材を載置して装着することにより、マンセル表色系における明度が７以下の色に着色する必要は必ずしも無く、例えば底部形成部材を用いることなく、中栓部の上面に直接着色を施すことによって、マンセル表色系における明度が７以下の色に着色することもできる。
【符号の説明】
【００３３】
１０  計量キャップ付き容器
１１  容器本体
１１ａ  胴部
１１ｂ  口首部
１２  計量キャップ
１２ａ  計量室
１２ｂ  注出口部
１２ｃ  流出口部
１３  装着筒部
１４  計量筒部
１４ａ  透明又は半透明の上部
１４ｂ  計量線
１４ｃ  底部
１４ｄ  ヒンジ部
１５  流出ノズル筒部
１５ａ  先端流出口
１５ｂ  支持脚部
１５ｃ  流出規制板
１６  開閉蓋
１６ｄ  内側シール筒体
１６ｅ  外側シール筒体
１８  下部筒状部材
１８ａ  円筒部
１８ｂ  中栓部
１８ｃ  流出開口
１９  上部筒状部材
２０  底部形成部材
２０ａ  底盤部
２０ｂ  密着周壁部
２１  弁部材
２１ａ  逆止弁
２１ｂ  支持スリーブ
【図１】
2020158161.tif 000003
【図２】
2020158161.tif 000004